(57)【特許請求の範囲】
【請求項１】
屋内空間に配置された収納部の収納スペースの下方側に設けられ、前記屋内空間と区画された下部空間部と、
床下空間内に配設され、建物の空調を行う空調装置と前記下部空間部を繋ぎ当該空調装置によって生成された空調空気が流れる空調ダクトと、
前記下部空間部内において移動不能に配設され、前記空調ダクトに接続された吹出チャンバーと、
前記下部空間部を構成する壁部に設けられると共に前記吹出チャンバーに接続され、前記空調空気を前記屋内空間へ案内する吹出グリルと、
を備え、
前記下部空間部内には、前記吹出チャンバーの隣に当該吹出チャンバーへアクセスするための作業空間部が設けられている空調設備。
【請求項２】
前記吹出チャンバーにおいて前記空調空気が流れる方向に沿った下流側の流路断面積は、前記空調ダクトの流路断面積よりも大きくなるように形成されている請求項１に記載の空調設備。
【請求項３】
請求項１又は請求項２に記載の空調設備を備えた全館空調システム。
【発明の詳細な説明】
【技術分野】
【０００１】
本発明は、空調設備及び全館空調システムに関する。
【背景技術】
【０００２】
例えば、下記特許文献１には、室内空間（屋内空間）と繋がる下部空間部が収納棚の下部に設けられ、建物の空調を行う空調装置によって生成された空調空気を吹き出す吹出口が、当該下部空間部の床部に設けられた技術が開示されている。また、この先行技術では、収納棚の下部に下部空間部の上部を構成する可動棚板が設けられており、吹出口から送出された空調空気は、当該可動棚板に当って向きを変え室内空間側へ案内されるようになっている。
【先行技術文献】
【特許文献】
【０００３】
【特許文献１】特開２０１２−１７６００１号公報
【発明の概要】
【発明が解決しようとする課題】
【０００４】
上記先行技術では、空調空気が流れる空調ダクトと吹出口は直接繋がっており、吹出口から吹き出された空調空気は、直接可動棚板に当り向きが変えられるようになっているため、空調空気はスムーズな流れを得ることができず、圧力損失が生じ空調効率がよくない。
【０００５】
本発明は上記事実を考慮し、空調効率を向上させることができる空調設備及び全館空調システムを得ることが目的である。
【課題を解決するための手段】
【０００６】
上記目的を達成するための第１の態様は、空調設備において、屋内空間に配置された収納部の収納スペースの下方側に設けられ前記屋内空間と区画された下部空間部と、床下空間内に配設され、建物の空調を行う空調装置と前記下部空間部を繋ぎ当該空調装置によって生成された空調空気が流れる空調ダクトと、前記下部空間部内に配設され前記空調ダクトに接続された吹出チャンバーと、前記下部空間部を構成する壁部に設けられると共に前記吹出チャンバーに接続され、前記空調空気を前記屋内空間へ案内する吹出グリルと、を有している。
【０００７】
第１の態様では、空調設備において、屋内空間には収納部が配置され、当該収納部の収納スペースの下方側には、屋内空間と区画された下部空間部が設けられている。一方、床下空間内には空調ダクトが配設されている。この空調ダクトは、建物の空調を行う空調装置と収納部の下部空間部を繋いでおり、空調装置で生成された空調空気が当該空調ダクト内を流れるようになっている。
【０００８】
ここで、空調ダクトには、下部空間部内に配設された吹出チャンバーが接続されている。当該吹出チャンバーには吹出グリルが接続されており、空調ダクト内を流れる空調空気が吹出チャンバー及び吹出グリルを通じて屋内空間へ案内されるようになっている。当該吹出グリルは、下部空間部を構成する壁部に設けられている。つまり、吹出グリルは床面に対して直交する垂直面に設けられていることになる。
【０００９】
このため、当該吹出グリルの表面に塵埃が付着してもその塵埃は落下する可能性が高い。よって、吹出グリルが床面に設けられた場合と比較して、吹出グリルの表面に塵埃が付着し難い。したがって、吹出グリルの表面に塵埃が付着することによる圧力損失の低下を抑制することができる。
【００１０】
ところで、吹出グリルが空調ダクトに直接接続された場合、吹出グリルと空調ダクトとで流路断面積が大きく異なっていると空調効率等に影響を及ぼしてしまう。例えば、両者の間で流路断面積の差を小さくする場合、空調ダクトに合わせて吹出グリルの流路断面積を小さくするか、吹出グリルの流路断面積に合わせて空調ダクトの流路断面積を大きくするが考えられる。そして、前者の場合は、吹出グリルの流路断面積を小さくした分、流路グリルから屋内空間に送出される空調空気の流速が速くなってしまい、後者の場合は、空調ダクトの流路断面積を大きくした分、床下空間内のスペースが狭くなってしまう。
【００１１】
また、本発明では、空調ダクトと吹出グリルの間には、吹出チャンバーが介在されている。このため、当該吹出チャンバーによって空調ダクトと吹出グリルとで生じる流路断面積の差分を吸収することができ、これにより、空調ダクトと吹出グリルとで流路断面積が異なることによる圧力損失の低下を抑制することができる。
【００１２】
なお、本発明における「下部空間部」について、収納部に含まれる領域とされてもよいし、収納部とは異なる領域とされてもよい。つまり、説明に応じて何れかに設定することができる。
【００１３】
第２の態様は、第１の態様において、前記下部空間部内には、前記吹出チャンバーの隣に作業空間部が設けられている。
【００１４】
第２の態様では、収納部の下部空間部内において、吹出チャンバーの隣には作業空間部が設けられているため、空調ダクト、吹出チャンバーを設置する際、作業空間を確保することができ、施工性が高い。
【００１５】
第３の態様は、第１の態様又は第２の態様において、前記吹出チャンバーにおいて前記空調空気が流れる方向に沿った下流側の流路断面積は、前記空調ダクトの流路断面積よりも大きくなるように形成されている。
【００１６】
第３の態様では、吹出チャンバーは、空調空気が流れる方向に沿った上流側（入口側）の流路断面積よりも下流側（出口側）の流路断面積が大きくなるように形成されている。吹出チャンバーの入口側は空調ダクトと接続され、吹出チャンバーの出口側は吹出グリルと接続されている。このため、空調ダクトから送出された空調空気を吹出チャンバー及び吹出グリルを介して、屋内空間へ穏やかな風として送出することができる。
【００１７】
第４の態様は、全館空調システムにおいて、第１の態様〜第３の態様の何れか１に記載の空調設備を備えている。
【００１８】
第４の態様では、全館空調システムにおいて、上記第１の態様〜第３の態様において得られる作用及び効果を奏する。
【発明の効果】
【００１９】
以上説明したように本発明は、圧力損失の低下を抑制し、空調効率を向上させることができる、という優れた効果を有する。
【図面の簡単な説明】
【００２０】
【図１】本実施の形態に係る空調設備を示す正面図である。
【図２】図１において、２−２線に沿って切断したときの断面図である。
【図３】本実施の形態に係る空調設備が設けられた収納部の収納スペース及び下部空間部を示す図１に対応する正面図である。
【図４】本実施の形態に係る空調設備の構成を示す分解斜視図である。
【発明を実施するための形態】
【００２１】
以下、図面を用いて、本発明の一実施の形態に係る空調設備について説明する。
（空調設備の構成）
図１には、本実施の形態に係る空調設備１０の一例を示す正面図が示されており、図２には、図１において２−２線に沿って切断したときの断面図が示されている。図２に示されるように、例えば、本実施形態では、建物の一階部分の屋内空間に複数の居室１２、及び、図示しないトイレ、ランドリー室等の狭小空間が設けられている。なお、図２では、１つの居室１２のみが図示されている。
【００２２】
本実施形態における建物では、いわゆる全館空調システム１１が導入されており、建物内には機械室１６が設けられている。当該機械室１６内には空調装置１８が設置されており、空調装置１８には、建物内の居室１２やトイレ等を含む各空間部１４と繋がる複数の空調ダクト２０が接続されている。この空調ダクト２０は、蛇腹状を成して床下空間部２２内に配設されており、空調ダクト２０内には、空調装置１８によって生成された空調空気が流れるようになっている。なお、ここでは、１つの空調ダクト２０のみが図示されている。
【００２３】
当該空調ダクト２０内を流れた空調空気は、各空間部１４内へ送出されるようになっており（後述する）、当該全館空調システム１１では、空調ダクト２０を通じて建物内の居室１２やトイレ等を含む各空間部１４へ供給される。例えば、居室１２内へ送出された空調空気Ｓ１は、図示しない扉の下を通過して隣室へ案内され、居室１２内の空気Ｓ２は、居室１２の上部に設けられた図示しない換気口を通じて屋外へ排気される。これにより、全館を通じて各空間部１４の冷暖房が行われる。
【００２４】
図１及び図２に示されるように、例えば、居室１２では、当該居室１２を区画する間仕切り壁２４に沿って、収納部２６が設けられている。収納部２６は上下方向を長手方向とする直方体状を成しており、幅方向の両端部には図示しないヒンジ部が設けられている。つまり、この収納部２６は、いわゆる観音開きの扉２８とされており、この扉２８を開放させることによって、収納スペース３０が開放される。なお、この収納スペース３０は、棚板３２等によってその内部が複数に区画されている。
【００２５】
そして、本実施形態では、収納スペース３０の下方側に下部空間部３４が設けられている。この下部空間部３４については、収納部２６に含まれる領域とされてもよいし、収納部とは異なる領域とされてもよく、説明に応じて何れかに設定することができる。
【００２６】
具体的に説明すると、下部空間部３４が収納部２６に含まれる領域とされた場合、居室１２には、収納部２６が設けられ、当該収納部２６は、収納スペース３０及び下部空間部３４を含んで構成されることになる。一方、下部空間部３４が収納部２６とは異なる領域とされた場合、居室１２には、収納部２６及び下部空間部３４が設けられていることになる。なお、本実施形態では、当該下部空間部３４は、収納部２６に含まれる領域として説明する。
【００２７】
図３に示されるように、収納部２６の下部を構成する下部空間部３４内には、居室１２側において、下部空間部３４の幅方向の両端に上下方向に沿って一対の下地材３６（いわゆる縦桟）がそれぞれ配置されている。当該一対の下地材３６の上端及び下端には、水平方向に沿って下地材３８、３９（いわゆる横桟）がそれぞれ架け渡されている。また、下地材３８と下地材３９の間には、一対の下地材３６間を水平方向に沿って下地材４０（いわゆる横桟）が架け渡されている。この下地材４０と下地材３８の間には、下部空間部３４の幅方向に沿った一対の下地材３６の内側に上下方向に沿って下地材４１（いわゆる縦桟）がそれぞれ架け渡されている。
【００２８】
また、下部空間部３４内において、吹出チャンバー４２や空調ダクト２０の両隣には、作業空間部４６、４８がそれぞれ設けられている。この作業空間部４６、４８は、後述する吹出チャンバー４２や吹出グリル４４等の設置やメンテナンス等を行う際に作業可能な空間として確保されるように設定されている。なお、ここでは、縦桟である下地材４１よりも横桟である下地材４０を優先させている。これにより、吹出チャンバー４２や空調ダクト２０の隣の空間が桟によって遮られないようにして十分な作業空間を確保することができる。
【００２９】
そして、下地材３８、４０、４１によって矩形状の開口部５２が形成される。また、下地材３６、３８、３９、４０、４１はそれぞれ角柱状を成しており、表面に石膏ボード５４（図２参照）が貼付されるようになっている。そして、開口部５２を除き、当該石膏ボード５４が下地材３６、３８、３９、４０、４１に貼付されることによって、下部空間部３４は居室１２と区画されることになる。
【００３０】
一方、図２に示されるように、床部５６及び収納部２６（下部空間部３４）の下壁３４Ａには、連通口５８、６０がそれぞれ貫通しており、当該連通口５８、６０を通じて床下空間部２２と下部空間部３４とが連通可能とされている。連通口５８、６０には、空調ダクト２０が挿通されており、当該空調ダクト２０の外周には、図示はしないがシール部材が設けられている。このシール部材によって、空調ダクト２０と連通口５８、６０の間がシールされている。
【００３１】
また、空調ダクト２０は下部空間部３４内において、上方へ向かって立ち上がって配置されており、空調ダクト２０の先端部２０Ａには、吹出チャンバー４２が接続されている。図４に示されるように、吹出チャンバー４２は、平面視で略五角形状を成しており、ケーシング６２とフレーム６４とを含んで構成されている。そして、ケーシング６２が空調ダクト２０に接続されるようになっており、フレーム６４には、後述する吹出グリル４４が接続されるようになっている。
【００３２】
ここで、ケーシング６２は、平面視で略三角形状を成す接続部６６と、平面視で略矩形状を成す水平部６８と、を含んで構成されている。接続部６６の下壁６６Ａの中央部には、ダクト接続口７０が貫通している。このダクト接続口７０からは円筒状のダクト接続カラー７２が垂下されており、当該ダクト接続カラー７２に空調ダクト２０の先端部２０Ａが接続される。これにより、空調ダクト２０内の空調空気が、ケーシング６２の接続部６６を通じて当該ケーシング６２内に案内される。
【００３３】
なお、ケーシング６２の接続部６６の流路断面積は、空調ダクト２０の流路断面積よりも大きくなるように形成されている。また、空調ダクト２０は下部空間部３４内において立ち上がって配置されているため、空調ダクト２０の先端部２０Ａから送出された空調空気は、ケーシング６２の接続部６６において、ダクト接続口７０から上方へ向かって送出されることになる。しかし、前述のように、ケーシング６２の接続部６６の流路断面積は、空調ダクト２０の流路断面積よりも大きくなるように形成されているため、空調ダクト２０から送出された空調空気の流速は遅くなる。そして、ケーシング６２の接続部６６内へ送出された空調空気は、接続部６６から水平部６８を通じて水平方向に沿って案内されることとなる。
【００３４】
一方、フレーム６４は、ケーシング６２の水平部６８と連続して形成されており、それぞれ流路が略矩形状を成している。また、フレーム６４には、吹出グリル４４が接続可能とされている。この吹出グリル４４は、図４に示されるように、正面視で矩形状を成しており、グリル部７６と嵌合部７８とで構成され、嵌合部７８は背面視で略矩形状を成している。
【００３５】
図２に示されるように、当該吹出グリル４４は、収納部２６に設けられた下部空間部３４と居室１２とを区画する石膏ボード５４に装着される。具体的には、図２及び図３に示されるように、下地材３８、４０、４１によって形成された開口部５２を除いて石膏ボード５４は下地材３６、３８、３９、４０、４１に貼付されるため、当該石膏ボード５４には吹出グリル４４を装着するための装着孔７４が形成されることとなる。図４に示されるように、この装着孔７４は、吹出グリル４４の嵌合部７８の形状に合わせて略矩形状を成しており、嵌合部７８が装着孔７４に嵌合可能とされている。なお、嵌合部７８の外周には、図示はしないがシール部材が設けられており、当該シール部材によって、嵌合部７８と装着孔７４の間がシールされている。
【００３６】
また、嵌合部７８は吹出チャンバー４２のフレーム６４内へ嵌合可能とされており、嵌合部７８がフレーム６４内へ嵌合された状態で、吹出グリル４４が吹出チャンバー４２に接続される。なお、吹出グリル４４が吹出チャンバー４２に接続された状態で、図示しないシール部材によって、嵌合部７８とフレーム６４の間がシールされている。
【００３７】
一方、グリル部７６は縦リブ８０及び横リブ８２で構成される格子状とされており、意匠面側（居室１２側）には縦リブ８０が設けられ、縦リブ８０の奥方（嵌合部７８側）に横リブ８２が設けられている。また、グリル部７６の嵌合部７８側には、長手方向の両端側の上下に図示しない軸受部がそれぞれ設けられている。
【００３８】
この軸受部には、水平方向を長手方向とする長板状のフラップ８４が支持可能とされている。フラップ８４の長手方向の両端からは、フラップ８４の長手方向に沿って軸部８６がそれぞれ張り出しており、これらの軸部８６が軸受部に支持された状態で、当該軸部８６を介してフラップ８４は軸受部を中心に上下方向に沿って回動可能とされる。なお、フラップ８４は、居室１２において、予め床部５６（図２参照）に対して角度が設定されている。
【００３９】
また、軸部８６には、軸部８６と連動するダイヤル部８８を設けられており、当該ダイヤル部８８を回動させることによって軸部８６を介してフラップ８４を回動するようになっている。本実施形態では、このダイヤル部８８は、グリル部７６を取り外すことによって操作可能とされるが、当該ダイヤル部８８が居室１２側から操作可能とされてもよい。
【００４０】
（空調設備の作用及び効果）
次に、本実施の形態に係る空調設備１０の作用及び効果について説明する。図１及び図２に示されるように、本実施形態では、居室１２には収納スペース３０を有する収納部２６が配置されており、当該収納スペース３０の下方側には、居室１２と区画された下部空間部３４が設けられている。
【００４１】
この下部空間部３４内には、空調装置１８に接続された空調ダクト２０が、床部５６及び収納部２６（下部空間部３４）の下壁３４Ａを貫通し上方へ向かって立ち上がって配置されており、空調ダクト２０の先端部２０Ａには、吹出チャンバー４２が接続されている。そして、この吹出チャンバー４２には吹出グリル４４が接続されており、空調ダクト２０内を流れる空調空気が、吹出チャンバー４２及び吹出グリル４４を通じて居室１２内へ案内されるようになっている。
【００４２】
ここで、当該吹出グリル４４は、収納部２６に設けられた下部空間部３４を構成する石膏ボード５４に設けられている。つまり、吹出グリル４４は床面５６Ａに対して直交する垂直面９０に設けられていることになる。このため、当該吹出グリル４４を構成するグリル部７６の表面に塵埃が付着してもその塵埃は落下する可能性が高い。
【００４３】
したがって、図示はしないが、吹出グリルが床面に設けられた場合と比較して、本実施形態では、図１及び図２に示す吹出グリル４４のグリル部７６の表面に塵埃が付着し難い。このため、吹出グリル４４のグリル部７６の表面に塵埃が付着することによる圧力損失の低下を抑制することができる。そして、下部空間部３４内に空調ダクト２０及び吹出チャンバー４２を設けることによって、気密性、断熱性を安定的に維持することができる。
【００４４】
また、図示はしないが、吹出グリルが床面に設けられた場合、吹出グリルの上を開放させるため、当該吹出グリルを遮るような部材を床面に設けないようにし、また、生活動線を回避して床面に吹出グリルを配置する等の設計が行われる。また、これ以外にも、ランドリー室等の狭小スペースや和室の床の間等において吹出グリルを設けることができない等、設計上の制限を受ける場合がある。
【００４５】
しかし、本実施形態では、吹出グリル４４が、収納部２６の下部空間部３４を構成する石膏ボード５４に設けられ、床面５６Ａに対して直交する垂直面９０に設けられているため、上記のような問題は生じない。したがって、従来よりも設計の自由度が上がり、建物のバリエーションを増やすことができる。すなわち、ランドリー室等の狭小スペースを含め、全空間部１４において、空調空気を送出させることができる。
【００４６】
また、図示はしないが、吹出グリルが空調ダクトに直接接続される場合、吹出グリルと空調ダクトとで流路断面積が大きく異なっていると空調効率等に影響を及ぼしてしまう。一般に、床下空間内には、断熱材が収容されていたり、電気配線等が行われていたりするため、空調ダクトの外径はできるだけ小さくなるように形成される。一方、吹出グリルでは、できるだけ穏やかな風が送出されるようにするため、流路断面積は意匠上の観点から問題のない範囲でできるだけ大きい方が好ましい。
【００４７】
このため、例えば、空調ダクトと吹出グリルとの間で流路断面積の差を小さくする場合、空調ダクトに合わせて吹出グリルの流路断面積を小さくするか、吹出グリルの流路断面積に合わせて空調ダクトの流路断面積を大きくするが考えられる。前者の場合は、吹出グリルの流路断面積を小さくした分、流路グリルから屋内空間に送出される空調空気の流速が速くなってしまい、後者の場合は、空調ダクトの流路断面積を大きくした分、床下空間内のスペースが狭くなってしまう。
【００４８】
しかし、本実施形態では、図２及び図３に示されるように、空調ダクト２０と吹出グリル４４の間には、吹出チャンバー４２が介在されている。このため、当該吹出チャンバー４２によって空調ダクト２０と吹出グリル４４との間で生じる流路断面積の差を吸収することができる。
【００４９】
ここで、本実施形態では、ケーシング６２は、平面視で略三角形状を成す接続部６６と、平面視で略矩形状を成す水平部６８と、が連続して形成されている。そして、吹出チャンバー４２において、空調空気が流れる方向に沿った上流側（接続部６６）から下流側（水平部６８）へ向かって流路断面積が徐々に大きくなるように形成されている。これにより、空調ダクト２０と吹出グリル４４との間で流路断面積において差が生じたとしても吹出チャンバー４２によってその差分を吸収することができると共に、圧力損失の低下を抑制することができ、空調効率を向上させることができる。
【００５０】
また、本実施形態では、吹出チャンバー４２の流路断面積は、空調ダクト２０の流路断面積よりも大きくなるように形成され、吹出チャンバー４２は吹出グリル４４と接続されているため、空調ダクト２０から送出された空調空気を吹出チャンバー４２及び吹出グリル４４を介して、居室１２へ穏やかな風として送出することができる。
【００５１】
さらに、本実施形態では、図３に示されるように、収納部２６の下部空間部３４内において、吹出チャンバー４２の両隣には作業空間部４６、４８がそれぞれ設けられている。このため、空調ダクト２０、吹出チャンバー４２を設置やメンテナンスを行う際、作業空間を確保することができ、施工性が高い。なお、作業空間部４６、４８の大きさは上記作業を行うことが可能な大きさであればよい。このため、例えば、下部空間部３４の上部のみに作業空間部４６、４８が設けられていてもよい。また、作業空間部４６、４８のうち、いずれか一方のみ設けられてもよい。
【００５２】
以上説明した本実施の形態では、建物内に設けられた複数の空間部１４のうちの全部の空間部１４において空調装置１８による空調空気が送出される、いわゆる全館空調システム１１が導入された例について説明したが、必ずしも全館である必要はなく、複数の空間部１４のうちの一部に適用されてもよい。
【００５３】
さらにまた、ここでは、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００５４】
１０   空調設備
１１   全館空調システム
１２   居室（屋内空間）
１４   空間部（屋内空間）
１８   空調装置
２０   空調ダクト
２２   床下空間部
２６   収納部
３０   収納スペース
３４   下部空間部
４２   吹出チャンバー
４４   吹出グリル
４６   作業空間部
４８   作業空間部
５４   石膏ボード（壁部）
【図１】
0006717634.tif 000002
【図２】
0006717634.tif 000003
【図３】
0006717634.tif 000004
【図４】
0006717634.tif 000005